Podtech/llm-jp-corpus-v4-ja_patent huggingface dataset:
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
格子構造をそれぞれ有する第１のゾーン及び第２のゾーンを備える回折光学格子であって、前記第１のゾーン及び前記第２のゾーンの格子構造が、二次元に周期的であり、且つ各格子での単位セルサイズを画定し、
−  第１の方向の単位セルの第１の周期（ｄｘ）が、前記第１の波長に沿って可視光の選択された波長の回折を可能にするように選択され、
−  前記第１の方向とは異なる第２の方向の単位セルの第２の周期（ｄｙ）が、前記第２の方向に沿って前記選択された波長の回折を防ぐのに十分に短い、
ことを特徴とする、格子であり、
前記第１のゾーンでの格子構造及び前記第２のゾーンでの格子構造が、前記第１のゾーン及び前記第２のゾーンについて異なる回折効率を生み出すために、前記第２の方向に異なる変調特徴を有する、格子。
【請求項２】
前記第１のゾーン及び前記第２のゾーンが、前記第２の方向に異なるフィルファクタ変調特徴を有する、請求項１に記載の格子。
【請求項３】
前記第１のゾーン及び前記第２のゾーンが、前記第２の方向に異なる高さ変調特徴を有する、請求項１又は２に記載の格子。
【請求項４】
前記第２の方向に前記第１のゾーンと前記第２のゾーンとの間に高さ変調が全くない、請求項２に記載の格子。
【請求項５】
前記第１のゾーン及び前記第２のゾーンが、前記第１の方向及び／又は前記第２の方向に異なる周期を有する、請求項１〜４のいずれか一項に記載の格子。
【請求項６】
前記第１のゾーン及び前記第２のゾーンが、前記第１の方向及び／又は前記第２の方向に同じ周期を有する、請求項１〜５のいずれか一項に記載の格子。
【請求項７】
前記格子構造が、２．０よりも高いなどの、１．７よりも高い屈折率を有する材料で少なくとも部分的に作製され、前記材料が、好ましくは、金属酸化物などの酸化物材料又は窒化物材料、例えば、ＴｉＯ２、ＳｉＯ２、Ｓｉ３Ｎ４、又はＨｆＯ２である、請求項１〜６のいずれか一項に記載の格子。
【請求項８】
前記第１のゾーン及び前記第２のゾーンの格子構造が、前記格子の横平面内で矩形、楕円形、又は卵形の断面形状を有するピラーなどのピラーを備える、請求項１〜７のいずれか一項に記載の格子。
【請求項９】
前記ピラーが平坦な又は傾斜した頂部を有する、請求項８に記載の格子。
【請求項１０】
前記第１の周期（ｄｘ）が光学回折閾値よりも長く、前記第２の周期（ｄｙ）が前記光学回折閾値よりも短く、前記光学回折閾値が、例えば１００〜７００ｎｍの範囲内にある、請求項１〜９のいずれか一項に記載の格子。
【請求項１１】
前記格子は、それらの隣接するゾーン又はすべての他のゾーンと比較して前記第２の方向に異なる変調特徴を有する、３〜１０００ゾーンなどの、少なくとも３つのこのようなゾーンを備え、各ゾーンの面積が、例えば０．０１ｍｍ２乃至１００ｍｍ２などの、０．００１ｍｍ２以上である、請求項１〜１０のいずれか一項に記載の格子。
【請求項１２】
前記ゾーンが、矩形グリッドなどの規則的なグリッドに配置される、請求項１〜１１のいずれか一項に記載の格子。
【請求項１３】
前記第１の方向及び第２の方向が互いに直交する、請求項１〜１２のいずれか一項に記載の格子。
【請求項１４】
光導波路として作用することができる本質的に平坦な基板と、前記基板内に又は前記基板上に配置され、且つ、前記基板へ、前記基板内へ、又は前記基板外へ光を結合することができる少なくとも１つの回折格子とを備える回折ウェーブガイドであって、前記回折格子が請求項１〜１３のいずれか一項に記載の格子である、回折ウェーブガイド。
【請求項１５】
画像を提示することができる画像ソースと、前記画像ソースにより提示された画像を再現するように構成された入力結合格子、出力結合格子、及び／又は射出瞳拡大素子格子を備える回折ウェーブガイドとを備える回折ディスプレイ装置であって、前記入力結合格子、前記出力結合格子、及び／又は前記射出瞳拡大素子格子が請求項１〜１３のいずれか一項に記載の格子を備える、回折ディスプレイ装置。
【請求項１６】
前記画像ソースが、或る出力波長又は波長範囲を有し、前記格子の第２の周期（ｄｙ）が、前記第２の方向の回折を防ぐために前記画像ソースのサブ波長領域内にある、請求項１５に記載の回折ディスプレイ装置。
【請求項１７】
回折格子を備える回折ディスプレイ上に画像を表示するための方法であって、前記方法が、
−  第１の回折効率を有する光学干渉を生じさせるために前記格子の第１のゾーンに光を誘導することと、
−  第２の回折効率を有する光学干渉を生じさせるために前記格子の第２のゾーンに光を誘導することと、
を含み、
請求項１〜１３のいずれか一項に記載の格子が前記回折格子として用いられる、方法。
【請求項１８】
第１の周期（ｄｘ）を有する第１の回折方向を有する格子のサブ波長周期パターニングの使用であって、サブ波長周期（ｄｙ）が、前記格子の回折効率を調節するために前記第１の回折方向と非平行な第２の方向に配置され、請求項１〜１３のいずれか一項に記載の格子が前記格子として用いられる、使用。
【請求項１９】
前記第２の方向に前記格子のフィルファクタ変調と組み合わされる、請求項１８に記載の使用。
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
発光装置であって、
各発光モジュールが複数の発光構成要素と少なくとも１つの通信ユニットとを含む、少なくとも１つの発光モジュールと、
前記少なくとも１つの通信ユニットに機能的に結合され、前記発光装置を制御するための１つまたは複数のコンピューティングデバイスから１つまたは複数のコマンドを無線で受信し、受信した前記１つまたは複数のコマンドに応答して、前記複数の発光構成要素の発光を制御するために１つまたは複数の命令を前記少なくとも１つの通信ユニットに無線で、または直流（ＤＣ）電力線を介して直接送信するように構成されたゲートウェイとを含む発光装置。
【請求項２】
各発光モジュールが複数の発光サブモジュールをさらに含み、各発光サブモジュールが前記発光構成要素の複数を含み、
各発光モジュールが、複数の通信ユニットを含み、
各発光サブモジュールが、前記複数の通信ユニットの一つを含む集積回路（ＩＣ）チップを含む、請求項１に記載の発光装置。
【請求項３】
各発光サブモジュールの前記ＩＣチップが、
当該発光サブモジュールの前記発光構成要素に連結されたＤＣ／ＤＣコンバータと、
前記ＤＣ−ＤＣコンバータ及び当該発光サブモジュールの前記通信ユニットに連結されたコントロールユニットであって、前記発光サブモジュール内の前記複数の発光構成要素の前記発光を制御するためのコントロールユニットと、をさらに含む、請求項２に記載の発光装置。
【請求項４】
前記ゲートウェイは、前記ＤＣ電力線を介して前記少なくとも１つの通信ユニットと通信するように構成され、前記少なくとも１つの通信ユニットは、干渉および／または雑音を低減するために前記ＤＣ電力線の電流をフィルタリングするためのローパスフィルタ（ＬＰＦ）を含む、請求項１ないし３のいずれか一項に記載の発光装置。
【請求項５】
前記少なくとも１つの通信ユニットは、前記発光構成要素のデータを収集するためと、前記発光構成要素の前記発光を調整するための、データ取得構成要素をさらに含む、請求項１ないし４のいずれか一項に記載の発光装置。
【請求項６】
発光モジュールであって、
各発光サブモジュールが、複数の発光構成要素と、ＤＣ／ＤＣコンバータに連結されて当該複数の発光構成要素を制御するためのコントロールユニットと、を含む、複数の発光サブモジュールと、
前記複数の発光サブモジュールの前記複数の発光構成要素の発光を個別に調整するために前記複数の発光サブモジュールの前記コントロールユニットと通信するための通信ハブと、
無線でまたはＤＣ電力線を介して前記通信ハブとの直接通信のための、及び、１つまたは複数のコンピューティングデバイスとの無線通信のためのゲートウェイとを含む、発光モジュール。
【請求項７】
前記通信ハブは、前記発光構成要素のデータを収集するためと、前記発光構成要素の前記発光を調整するためのデータ取得構成要素をさらに含む、請求項６に記載の発光モジュール。
【請求項８】
発光モジュールの複数の発光構成要素を制御するための回路であって、
前記複数の発光構成要素に連結されたＤＣ／ＤＣコンバータと、
前記ＤＣ／ＤＣコンバータに連結されて前記複数の発光構成要素の発光を制御するためのコントロールユニットと、
前記複数の発光構成要素の前記発光を個別に調整するために前記コントロールユニットと通信するための通信ハブであって、１つまたは複数のコンピューティングデバイスとの通信のために無線でまたはＤＣ電力線を介してゲートウェイと通信するための通信ハブと、を含む回路。
【請求項９】
前記通信ハブは、前記発光構成要素のデータを収集するためと、前記発光構成要素の前記発光を調整するためのデータ取得構成要素をさらに含む、請求項８に記載の回路。
【請求項１０】
前記通信ハブは、前記データ取得構成要素との間でデータを送信するために前記データ取得構成要素に機能的に結合された通信構成要素をさらに含む、請求項９に記載の回路。
【請求項１１】
前記通信ハブは、前記ＤＣ電力線を介して前記ゲートウェイと通信するように構成されており、
前記通信ハブは、干渉および／または雑音を低減するために前記ＤＣ電力線の電流をフィルタリングするためのローパスフィルタ（ＬＰＦ）を含む、請求項８ないし１０のいずれか一項に記載の回路。
【請求項１２】
発光モジュールを制御するための回路であって、
前記発光モジュールの複数の発光サブモジュールの１つ又は複数の発光構成要素の発光を調整するために前記複数の発光サブモジュールと通信するための通信ハブであって、１つまたは複数のコンピューティングデバイスとの通信のために無線でまたはＤＣ電力線を介してゲートウェイと直接通信するための通信ハブを含む、回路。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
遠隔医療支援を容易にするための医療機器であって、前記医療機器は、
ユーザインターフェースと、
通信ユニットとを備え、
前記ユーザインターフェースは、前記医療機器の少なくとも１つの現在の医療使用条件に関する入力を求め、
前記ユーザインターフェースは、前記医療機器の前記現在の医療使用条件に関する前記入力を受け取り、前記入力は、前記医療機器の現在のユースケース、又は前記現在のユースケースについてのオペレータの経験レベルのうちの１つ又は複数を含み、前記ユースケースは、実行されるべき診断タスク又は医療治療であり、
前記医療機器は、前記入力を利用して、前記オペレータが必要とする支援レベルを決定し、前記支援レベルは、前記現在のユースケースを実行するために前記オペレータが遠隔医療専門家から必要とする支援の量に関連し、
前記医療機器は、前記支援レベルを利用して、前記遠隔医療専門家に通信されなければならないデータセットを決定し、
前記通信ユニットは、前記医療機器から前記遠隔医療専門家に前記データセットを送信するのに必要な伝送速度を決定し、
前記通信ユニットは、前記必要な伝送速度を達成するために１つ又は複数の通信接続を要求して確立する、医療機器。
【請求項２】
前記通信ユニットは、前記遠隔医療専門家に伝送されるべきと決定された前記データセットをデータパケットに分割し、
前記通信ユニットは、１つ又は複数の通信接続を介して前記データパケットを送信する、請求項１に記載の医療装置。
【請求項３】
前記通信ユニットは、前記遠隔医療専門家にデータを送信するための複数の異なる通信接続のセットをサポートする、請求項１又は２に記載の医療機器。
【請求項４】
前記通信ユニットは、各通信接続について属性のセットを提供し、
前記通信ユニットは、前記通信接続の前記属性に基づき、前記必要な伝送速度を達成するための前記通信接続の最適な選択を要求して確立する、請求項３に記載の医療機器。
【請求項５】
前記通信ユニットは、前記通信接続のセットを拡張するためにハードウェアモジュールが挿入され得るモジュラー通信プラットフォームとして適合されている、請求項３又は４に記載の医療機器。
【請求項６】
ナビゲーション信号を受信するためのナビゲーション受信機をさらに備え、
前記通信ユニットは、前記ナビゲーション受信機の受信された前記ナビゲーション信号を考慮に入れて１つ又は複数の通信接続を選択する、請求項３から５のいずれか一項に記載の医療機器。
【請求項７】
前記通信接続の前記属性は、前記通信接続のローカル利用可能性を特定するデータベースを含み、
前記医療機器は、前記ナビゲーション受信機を用いて前記医療機器の位置を決定し、
前記通信ユニットは、前記通信接続の前記ローカル利用可能性を特定する前記データベース、及び前記ナビゲーション受信機によって決定された前記位置に基づき、ローカルに利用可能な通信接続を決定し、
前記通信ユニットは、前記必要な伝送速度を達成するために１つ又は複数のローカルに利用可能な通信接続を要求し確立する、請求項６に記載の医療機器。
【請求項８】
前記通信ユニットは、前記遠隔医療専門家に送信されるべきデータのためのスケジューリングプライオリティを通信接続から要求する、請求項１から７のいずれか一項に記載の医療機器。
【請求項９】
前記通信ユニットは、前記遠隔医療専門家にデータを送信するのに必要な伝送速度及び必要な伝送時間を決定し、
前記通信ユニットは、前記必要な伝送時間のために前記必要な伝送速度を達成するよう、１つ又は複数の通信接続を要求し確立する、請求項１から８のいずれか一項に記載の医療機器。
【請求項１０】
前記通信ユニットは、暗号化及び復号化を使用して、前記遠隔医療専門家に決定された前記データセットを安全に送信する、請求項１から９のいずれか一項に記載の医療機器。
【請求項１１】
前記医療機器は撮像装置、好ましくはＸ線又は超音波撮像装置であり、
前記遠隔医療専門家に送信される前記データセットは、撮像データ、好ましくはＸ線又は超音波撮像データを含む、請求項１から１０のいずれか一項に記載の医療機器。
【請求項１２】
遠隔医療支援を容易にするための方法であって、前記方法は、
医療機器の少なくとも１つの現在の医療使用条件に関する入力を求めるステップと、
前記医療機器の前記現在の医療使用条件に関する前記入力を受け取るステップであって、前記入力は、前記医療機器の現在のユースケース、又は前記現在のユースケースについてのオペレータの経験レベルのうちの１つ又は複数を含み、前記ユースケースは、実行されるべき診断タスク又は医療治療である、受け取るステップと、
前記入力を利用して、前記オペレータが必要とする支援レベルを決定するステップであって、前記支援レベルは、前記現在のユースケースを実行するために前記オペレータが遠隔医療専門家から必要とする支援の量に関連する、入力を利用するステップと、
前記支援レベルを利用して、前記遠隔医療専門家に通信されなければならないデータセットを決定するステップと、
前記医療機器から前記遠隔医療専門家に前記データセットを送信するために必要な伝送速度を決定するステップと、
前記必要な伝送速度を達成するために１つ又は複数の通信接続を要求し確立するステップとを含む、方法。
【請求項１３】
遠隔医療支援を容易にするためのプログラムであって、プロセッサによって実行されると、請求項１２に記載の方法を実行する、プログラム。
【手続補正書】
【提出日】令和3年4月6日(2021.4.6)
【手続補正１】
【補正対象書類名】明細書
【補正対象項目名】０００６
【補正方法】変更
【補正の内容】
【０００６】
したがって、異種コンピューティングアーキテクチャ用のソフトウェアプログラムの並列化を改善する必要がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１７／０１６５９０号
（特許文献２）  米国特許出願公開第２０１１／０１７３１５５号明細書
（特許文献３）  米国特許出願公開第２００７／０２８３３５８号明細書
（非特許文献）
（非特許文献１）  Ｐｈｉｌｃｈａｙａ  Ｍａｎｇｐｏ  Ｐｈｏｔｈｉｌｉｍｔｈａｎａ，ｅｔ  ａｌ．"Ｐｏｒｔａｂｌｅ  Ｐｅｒｆｏｒｍａｎｃｅ  ｏｎ  Ｈｅｔｅｒｏｇｅｎｅｏｕｓ  Ａｒｃｈｉｔｅｃｔｕｒｅｓ"，Ｉｎ：  Ｐｒｏｃｅｅｄｉｎｇｓ  ｏｆ  ｔｈｅ  ＡＳＰＬＯＳ’１３，Ｈｏｕｓｔｏｎ，Ｔｅｘａｓ，ＵＳＡ，Ｍａｒｃｈ  １６−２０，２０１３，Ｓ．１−１３．
（非特許文献２）  Ｊ．Ａｎｓｅｌ，ｅｔ  ａｌ．：  ＰｅｔａＢｒｉｃｋｓ："Ａ  Ｌａｎｇｕａｇｅ  ａｎｄ  Ｃｏｍｐｉｌｅｒ  ｆｏｒ  Ａｌｇｏｒｉｔｈｍｉｃ  Ｃｈｏｉｃｅ．Ｉｎ：  Ｐｒｏｃｅｅｄｉｎｇｓ  ｏｆ  ｔｈｅ  ＰＬＤＩ’０９，Ｄｕｂｌｉｎ，Ｉｒｅｌａｎｄ，Ｊｕｎｅ  １５−２０，２００９，Ｓ．３８−４９．
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
微小散乱測定システムであって、
４００ｎｍ〜７００ｎｍの範囲の少なくとも１つの波長の光を提供する光源と、
集光素子と、
試料ホルダと、
開口と、
ユーセントリックポイントを中心に回転可能な第１の光検出器と、を順番に備え、
前記光源にエネルギーを与えると、前記光源からの光ビームが、前記集光素子を通過し、前記集光素子によって、前記第１の光検出器の前記ユーセントリックポイントに集束された１平方マイクロメートル〜６２５平方マイクロメートルの範囲の面積を有するスポットに集束され、前記集束された光が、前記焦点の後方で発散し、発散光が、前記第１の光検出器に接触する前に前記開口を通過し、前記試料ホルダは、前記入射光ビームと直交する平面内で移動可能である、微小散乱測定システム。
【請求項２】
微小散乱測定方法であって、
光源と、
集光素子と、
４００ｎｍ〜７００ｎｍの範囲の少なくとも１つの波長の光に対して、透過性又は反射性のうちの少なくとも一方である試料と、
開口と、
ユーセントリックポイントを中心に回転可能な第１の光検出器と、を順番にを備えるシステムを提供することと、
前記光源にエネルギーを与えて、４００ｎｍ〜７００ｎｍの範囲の少なくとも１つの波長の光を有する光ビームを提供することと、その際に、前記光源からの前記光ビームが、前記集光素子を通過し、前記集光素子によって、１平方マイクロメートル〜６２５平方マイクロメートルの範囲の面積を有する前記試料上又は前記試料内のいずれかのスポットに集束され、前記試料ホルダが、前記入射光ビームと直交する平面内で移動し、少なくとも前記光の一部が、前記試料を通して透過されるか、又は前記試料によって反射され、これにより散乱光が提供され、
前記第１の光検出器を前記ユーセントリックポイントを中心に回転することと、
前記開口を通過して前記第１の光検出器に到達する前記散乱光によって生成されたデータを収集することと、を含む、方法。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
固体参照電極であって:
電気化学的に活性なコンポジットに埋め込まれた参照エレメントを含み、電気化学的に活性なコンポジットは、固体無機塩が充填されたポリマーマトリックスを含み、
ポリマーマトリックスは、ヘテロ原子を含むビニルモノマーの架橋ビニルポリマーを含む、固体参照電極。
【請求項２】
架橋ビニルポリマーが親水性架橋性基で架橋されている、請求項１に記載の固体参照電極。
【請求項３】
架橋ビニルポリマーがビニルモノマーおよび架橋剤のコポリマーであり、架橋剤が少なくとも２つの共重合性ビニル官能基を含む、請求項１または２に記載の固体参照電極。
【請求項４】
架橋剤が、エチレングリコール ジ（メタ）アクリレート、diエチレングリコール ジ（メタ）アクリレート、トリエチレングリコール ジ（メタ）アクリレート、テトラエチレングリコール ジ（メタ）アクリレート、ポリ（エチレングリコール） ジ（メタ）アクリレート、N,N’−メチレン ビス−アクリルアミド、1,3−ブタンジオールジ（メタ）アクリレート、1,4−ブタンジオールジ（メタ）アクリレート、1,6−ヘキサンジオールジ（メタ）アクリレート、ビスフェノールA グリセロレートジ（メタ）アクリレート、ジウレタンジ（メタ）アクリレート、ジビニルベンゼン、トリメチロールプロパン トリ（メタ）アクリレート、ペンタエリトリトール トリ（メタ）アクリレート、グリセロール プロポキシレート トリアクリレート、トリメチロールプロパン エトキシレート トリアクリレートおよびトリメチロールプロパン プロポキシレート トリアクリレートからなる群から選択される、請求項３に記載の固体参照電極。
【請求項５】
架橋剤が式：
CH2＝C（R1）−C（＝O）−（O−CH（R2）−CH2）n−O−C（＝O）−C（R1）＝CH2または
X−[（O−CH（R2）−CH2）n−O−C（＝O）−C（R1）＝CH2]m
［式中、各々のR1およびR2は独立して−Hおよび−CH3から選択され、各々のnは1〜50の整数であり、mは2〜6の整数であり、Xはmの値に等しい原子価を有する有機基連結基である］を有する、請求項３に記載の固体参照電極。
【請求項６】
ビニルポリマーが0.2〜3.5モル％の架橋剤を含む、請求項３〜５のいずれか１項に記載の固体参照電極。
【請求項７】
ヘテロ原子を含むビニルモノマーがビニルエステル、ビニルアミドおよびアクリレートからなる群から選択される、請求項１〜６のいずれか１項に記載の固体参照電極。
【請求項８】
ヘテロ原子を含むビニルモノマーが、酢酸ビニル、ビニルカプロラクタム、メチル（メタ）アクリレート、エチル（メタ）アクリレート、ブチル（メタ）アクリレートおよびヘキシル（メタ）アクリレートからなる群から選択される、請求項１〜７のいずれか１項に記載の固体参照電極。
【請求項９】
電気化学的に活性なコンポジットが少なくとも30質量％の固体無機塩を含む、請求項１〜８のいずれか１項に記載の固体参照電極。
【請求項１０】
参照エレメントがAg／AgCl参照エレメント、Ag／Ag2SO4参照エレメントおよびCu参照エレメントからなる群から選択される、請求項１〜９のいずれか１項に記載の固体参照電極。
【請求項１１】
参照電極がAg／AgCl参照エレメントであり、固体無機塩が塩化物塩である、請求項１０に記載の固体参照電極。
【請求項１２】
電気化学的に活性なコンポジットの表面が分析物と直接接触するために少なくとも部分的に露出している、請求項１〜１１のいずれか１項に記載の固体参照電極。
【請求項１３】
コンポジットが水性分析物中で寸法的に安定している、請求項１〜１２のいずれか１項に記載の固体参照電極。
【請求項１４】
固体参照電極を製造する方法であって：
ヘテロ原子を含むビニルモノマーおよび／またはそのポリマー中に固体無機塩を分散させ；
ビニルモノマーおよび架橋剤を共重合することによってまたはポリマーを架橋剤で架橋することによって架橋ビニルポリマーを生成し、それによって固体無機塩を充填したポリマーマトリックスを含む電気化学的に活性なコンポジットを形成し；および
電気化学的に活性なコンポジットに参照エレメントを埋め込む
ことを含む、方法。
【請求項１５】
固体無機塩をビニルモノマーおよび架橋剤を含む混合物中に分散し、架橋剤が少なくとも２つの共重合可能なビニル官能基を有し、および架橋ビニルポリマーがビニルモノマーおよび架橋剤を共重合することによって生成する、請求項１４に記載の方法。
【請求項１６】
架橋剤が親水性架橋剤である、請求項１５に記載の方法。
【請求項１７】
ヘテロ原子を含むビニルモノマーが、ビニルエステル、ビニルアミドおよびアクリレートからなる群から選択される、請求項１４〜１６のいずれか１項に記載の方法。
【請求項１８】
酸性および／または研磨性分析物中のイオン濃度を決定するシステムであって：
請求項１〜１３のいずれか１項に記載の固体参照電極；
イオン選択性電極；および
イオン選択性電極と参照電極との間の電位差を測定する手段を含むシステム。
【請求項１９】
酸性および／または研磨性分析物中のイオン濃度を決定する方法であって：
請求項１〜１３のいずれか１項に記載のイオン選択性電極および固体参照電極を酸性および／または研磨性の分析物中に浸漬し；および
イオン選択性電極と参照電極との間の電気化学的な電位差を測定する、方法。
【請求項２０】
分析物が鉱物浸出プロセスまたは酸性鉱山排水ストリームからの浸出液や浸出スラリーである、請求項１９に記載の方法。
【誤訳訂正書】
【提出日】令和3年4月7日(2021.4.7)
【誤訳訂正１】
【訂正対象書類名】明細書
【訂正対象項目名】００１０
【訂正方法】変更
【訂正の内容】
【００１０】
【図１】少なくとも１つの回折素子が第１のレンズ群上に形成されている、高レーザパワー密度走査システムと共に使用されるレンズ系の実施形態の側面図を示す。
【図２】少なくとも１つの回折素子が第４のレンズ群上に形成されている、高レーザパワー密度走査システムと共に使用されるレンズ系の実施形態の側面図を示す。
【図３】少なくとも１つの回折素子が第１のレンズ群の第１の面上に形成されている、高レーザパワー密度走査システムと共に使用されるレンズ系の実施形態の側面図を示す。
【図４】少なくとも１つの回折素子が、複数の高レーザパワー密度光信号を伝播させて通過させる第１のレンズ群上に形成されている、高レーザパワー密度走査システムと共に使用されるレンズ系の実施形態の側面図を示す。
【図５】図４に示されている高レーザパワー密度走査システムと共に使用されるレンズ系の実施形態を使用するときに少なくとも１つの目標面上に投影される複数の高レーザパワー密度光信号の位置の側面図を示す。
【図６】図４に示されている高レーザパワー密度走査システムと共に使用されるレンズ系の実施形態を使用するときに少なくとも１つの目標面上に投影される複数の高レーザパワー密度光信号の位置のもう１つの図を示す。
【図７】円内エネルギーに関する高レーザパワー密度走査システムと共に使用されるレンズ系の光学的性能をグラフで示す。
【図８】高レーザパワー密度走査システムと共に使用されるレンズ系の実施形態の側面図を示す。
【図９】図８に示されている高レーザパワー密度走査システムと共に使用されるレンズ系の実施形態を伝播して通過する複数の高レーザパワー密度光信号の側面図を示す。
【図１０】図８に示されている高レーザパワー密度走査システムと共に使用されるレンズ系の実施形態で使用されるキノフォームレンズの側面断面図を示す。
【図１１】図８に示されている高レーザパワー密度走査システムと共に使用されるレンズ系の実施形態で使用されるキノフォームレンズの斜視図を示す。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
受信した患者の臨床レポートにおける推奨事項を検出するパーサエンジンと、
検出された前記推奨事項における推奨要素を抽出及び正規化するコンテキスト推論エンジンと、
受信した前記臨床レポート、並びに、抽出及び正規化された前記推奨要素に基づいて、患者実行可能臨床レポートを生成する行動選択エンジンと、
を含む、システム。
【請求項２】
前記推奨要素は、行動及び時間枠を含む、請求項１に記載のシステム。
【請求項３】
前記行動選択エンジンは更に、患者が実行可能である行動に対応するツールセットを選択する、請求項１又は２に記載のシステム。
【請求項４】
生成された前記患者実行可能臨床レポートは、検出された前記推奨事項を特定するインジケータを含む、請求項１から３の何れか一項に記載のシステム。
【請求項５】
前記インジケータは、選択されたツールセットへのハイパーリンクを含む、請求項４に記載のシステム。
【請求項６】
生成された前記患者実行可能臨床レポートを表示デバイスに表示するユーザインターフェースを更に含む、請求項１から５の何れか一項に記載のシステム。
【請求項７】
表示された前記患者実行可能臨床レポートの表示は、選択されたツールセットを更に含む、請求項６に記載のシステム。
【請求項８】
行動は、撮像検査、臨床検査及びアンケートからなる群から選択される少なくとも１つを含み、
選択されたツールセットからの１つのツールは、スケジューリングツールを含む、請求項２から７の何れか一項に記載のシステム。
【請求項９】
受信した患者の臨床レポートにおける推奨事項を検出するステップと、
検出された前記推奨事項における推奨要素を抽出及び正規化するステップと、
受信した前記臨床レポート、並びに、抽出及び正規化された前記推奨要素に基づいて、患者実行可能臨床レポートを生成するステップと、
を含む、方法。
【請求項１０】
前記推奨要素は、行動及び時間枠を含む、請求項９に記載の方法。
【請求項１１】
前記患者実行可能臨床レポートを生成するステップは更に、患者が実行可能である行動に対応するツールセットを選択するステップを含む、請求項９又は１０に記載の方法。
【請求項１２】
生成された前記患者実行可能臨床レポートは、検出された前記推奨事項を特定するインジケータを含む、請求項９から１１の何れか一項に記載の方法。
【請求項１３】
生成された前記患者実行可能臨床レポートを表示デバイスに表示するステップを更に含む、請求項９から１２の何れか一項に記載の方法。
【請求項１４】
表示された前記患者実行可能臨床レポートの表示は更に、選択されたツールセットを含む、請求項９から１３の何れか一項に記載の方法。
【請求項１５】
１つ以上のプロセッサを制御して、
受信した患者の臨床レポートにおける推奨事項を検出し、
検出された前記推奨事項における推奨要素を抽出及び正規化し、
受信した前記臨床レポート、並びに、抽出及び正規化された前記推奨要素に基づいて、患者実行可能臨床レポートを生成する命令を担持する、非一時的コンピュータ可読記憶媒体。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
画像データ入力部と、
処理ユニットと、
を有する医療画像検出装置において、
前記画像データ入力部が、生物学的サンプルの画像データを受信するように構成され、
前記処理ユニットが、検出器及び分類器を有し、
前記検出器が、前記画像データにおける少なくとも１つの所定の対象フィーチャの検出により前記サンプルにおいて関心対象を検出するように構成され、前記検出された対象が、候補対象であり、前記候補対象が、真陽性、偽陽性、及び可能な偽陽性を有し、真陽性が、グラウンドトゥルースと比較される場合に真の関心対象として正しく識別される候補対象に関し、偽陽性が、グラウンドトゥルースと比較される場合に偽の関心対象として識別される候補対象に関し、
可能な偽陽性は、前記検出器による識別がアルゴリズムの中間分析から生じ、偽陽性に対するグラウンドトゥルースと比較される場合に決定的であると見なされない可能性があるので、まだ偽陽性であると見なされない可能性がある候補対象に関し、
前記分類器が、前記可能な偽陽性を偽陽性又は真陽性として分類するように構成され、前記分類器が、偽陽性に対してトレーニングされたモデルを有するトレーニングされた分類器である、
装置。
【請求項２】
前記処理ユニットが、前記分類された偽陽性を除外するように構成される、請求項１に記載の装置。
【請求項３】
前記分類器が動作する解像度レベルが、前記検出器が動作する解像度レベルより高い、請求項１又は２に記載の装置。
【請求項４】
前記モデルが、前記検出器からの偽陽性に対してトレーニングされる、請求項１乃至３のいずれか一項に記載の装置。
【請求項５】
組織プローブスキャナ装置と、
請求項１乃至４のいずれか一項に記載の医療画像検出装置と、
を有する医療撮像システムにおいて、
前記組織プローブスキャナ装置が、生物学的サンプルをスキャンし、前記スキャンの画像データを前記画像データ入力部に提供するように構成される、
システム。
【請求項６】
デジタル撮像において所定の生物学的フィーチャを検出する方法において、
ａ）生物学的サンプルの画像データを受信するステップと、
ｂ）前記画像データにおける少なくとも１つの所定の対象フィーチャの検出により前記サンプルにおいて関心対象を検出するステップであって、前記検出された対象が、候補対象であり、前記候補対象が、真陽性、偽陽性、及び可能な偽陽性を有し、真陽性が、グラウンドトゥルースと比較される場合に真の関心対象として正しく識別される候補対象に関し、偽陽性が、グラウンドトゥルースと比較される場合に偽の関心対象として識別される候補対象に関し、
可能な偽陽性は、前記検出器による識別が、アルゴリズムの中間分析から生じ、偽陽性に対するグラウンドトゥルースと比較される場合に決定的であると見なされない可能性があるので、まだ偽陽性であると見なされない可能性がある候補対象に関する、ステップと、
ｃ）前記可能な偽陽性を偽陽性又は真陽性として分類するステップであって、前記分類が、偽陽性に対してトレーニングされたモデルを有するトレーニングされた分類である、ステップと、
を有する方法。
【請求項７】
ステップｃ）において、前記分類された偽陽性が、除外される、請求項６に記載の方法。
【請求項８】
ステップｃ）における動作の解像度レベルが、ステップｂ）における動作の解像度レベルより高い、請求項６又は７に記載の方法。
【請求項９】
完全な画像が、所定数の画像タイルからなり、ステップｂ）における前記検出が、前記画像タイルにおいて実行される、請求項６乃至８のいずれか一項に記載の方法。
【請求項１０】
前記分類が、第１のステップにより検出された前記関心対象を検証するようにトレーニングベースのアプローチを使用する、請求項６乃至９のいずれか一項に記載の方法。
【請求項１１】
ステップｂ）において、前記検出が、前記関心対象としてリンパ球の候補位置を検出するように関心点検出を使用することにより達成される、請求項６乃至１０のいずれか一項に記載の方法。
【請求項１２】
前記検出が、ＳＩＦＴベースの検出器アルゴリズムを使用しており、前記分類が、画素ベースの分類器を使用している、請求項６乃至１１のいずれか一項に記載の方法。
【請求項１３】
前記検出が、前記分類より高い感度及び／又は高い速度を持つように提供され、
前記分類は、前記分類において偽陽性が拒絶され、真陽性が保持されるように、前記検出より高い特異性を持つように構成される、
請求項６乃至１２のいずれか一項に記載の方法。
【請求項１４】
ステップａ）において、生物学的標本が、ガラススライド上に提供され、前記標本の複数の画像タイルが、取得され、前記画像データが、前記複数の画像タイルからなる、請求項６乃至１３のいずれか一項に記載の方法。
【請求項１５】
処理ユニットにより実行される場合に、請求項６乃至１４のいずれか一項に記載の方法のステップを実行するように構成される、請求項１乃至４のいずれか一項に記載の装置を制御するコンピュータプログラム。
【請求項１６】
請求項１５に記載のプログラムを記憶したコンピュータ可読媒体。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
ワークフローサーバが、
紹介医によって利用される医師デバイスからリクエストを受信するステップであって、前記リクエストは、撮像処置の実行に関し、また、前記紹介医の少なくとも１つのニーズを含む、受信するステップと、
前記リクエストから、前記少なくとも１つのニーズを決定するステップと、
決定された前記少なくとも１つのニーズを、所定のノーマライズされたニーズのセットからの少なくとも１つのノーマライズされたニーズと関連付けるステップと、
前記少なくとも１つのノーマライズされたニーズに基づいて、画像読み取り環境に含まれるべき少なくとも１つのワークフローソリューションを決定するステップとを含み、前記少なくとも１つのワークフローソリューションは、画像解釈者が前記撮像処置を解釈するのを支援するための前記画像読み取り環境で実行可能な自動アプリケーションである、方法。
【請求項２】
前記所定のノーマライズされたニーズのセットは、データスキームに関連付けられる、請求項１に記載の方法。
【請求項３】
前記リクエストがフリーテキスト形式で受信される場合、自然言語処理動作を実行して、少なくとも１つのキーワードを決定するステップと、
前記少なくとも１つのキーワードから前記少なくとも１つのノーマライズされたニーズを決定するステップとをさらに含む、請求項２に記載の方法。
【請求項４】
前記リクエストが、専用ユーザインターフェースにおける少なくとも１つの選択とともに受信される場合、前記少なくとも１つの選択から前記少なくとも１つのノーマライズされたニーズを決定するステップをさらに含む、請求項２に記載の方法。
【請求項５】
前記リクエストが識別情報とともに受信される場合、前記少なくとも１つのノーマライズされたニーズを含むプロファイルを決定するステップをさらに含み、
前記プロファイルは専用プロファイルであり、前記識別情報は前記専用プロファイルを識別する専用ヘッダーであり、又は、
前記プロファイルはユーザプロファイルであり、前記識別情報は前記紹介医の身元情報である、請求項２に記載の方法。
【請求項６】
前記少なくとも１つのワークフローソリューションを決定するステップは、
前記少なくとも１つのノーマライズされたニーズを複数のワークフローソリューションにマッピングするステップであって、前記ワークフローソリューションはそれぞれ、前記画像解釈者が前記撮像処置を実行するやり方を定めることに関連付けられる、マッピングするステップと、
前記少なくとも１つのノーマライズされたニーズが、前記ワークフローソリューションのうちの少なくとも１つと対応するか否かを決定するステップとをさらに含み、
前記少なくとも１つのワークフローソリューションが決定される場合、前記少なくとも１つのワークフローソリューションに基づいて前記画像読み取り環境が生成される、請求項２に記載の方法。
【請求項７】
前記少なくとも１つのワークフローソリューションがシリアル依存性を有する場合、前記シリアル依存性を決定するステップと、
前記シリアル依存性に基づいて前記画像読み取り環境を更新するステップとをさらに含む、請求項６に記載の方法。
【請求項８】
前記少なくとも１つのワークフローソリューションを前記画像読み取り環境に組み込む、変更された画像読み取り環境を生成するステップと、
前記変更された画像読み取り環境を、前記画像解釈者によって利用される画像解釈者デバイスに送信するステップとをさらに含む、請求項１に記載の方法。
【請求項９】
前記画像解釈者デバイスから少なくとも１つのコンテキストキューを受信するステップと、
前記少なくとも１つのコンテキストキューに基づいて前記画像読み取り環境を更新するステップとをさらに含む、請求項８に記載の方法。
【請求項１０】
前記撮像処置からの検査結果を受信するステップと、
前記検査結果を前記医師デバイスに送信するステップとをさらに含む、請求項１に記載の方法。
【請求項１１】
通信ネットワークを介して通信する送受信機であって、前記送受信機は、紹介医によって利用される医師デバイス及び画像解釈者によって利用される画像解釈者デバイスとデータを交換する、送受信機と、
実行可能プログラムを記憶するメモリと、
前記実行可能プログラムを実行するプロセッサとを備える、ワークフローサーバであって、前記実行可能プログラムは前記プロセッサに動作を実行させ、前記動作は、
前記紹介医によって利用される前記医師デバイスからリクエストを受信することであって、前記リクエストは、撮像処置の実行に関し、また、前記紹介医の少なくとも１つのニーズを含む、受信することと、
前記リクエストから、前記少なくとも１つのニーズを決定することと、
決定された前記少なくとも１つのニーズを、所定のノーマライズされたニーズのセットからの少なくとも１つのノーマライズされたニーズと関連付けることと、
前記少なくとも１つのノーマライズされたニーズに基づいて、画像読み取り環境に含まれるべき少なくとも１つのワークフローソリューションを決定することとを含み、前記少なくとも１つのワークフローソリューションは、前記画像解釈者が前記撮像処置を解釈するのを支援するための前記画像読み取り環境で実行可能な自動アプリケーションである、ワークフローサーバ。
【請求項１２】
前記所定のノーマライズされたニーズのセットは、データスキームに関連付けられる、請求項１１に記載のワークフローサーバ。
【請求項１３】
前記リクエストはフリーテキスト形式で受信され、前記プロセッサが実行する動作はさらに、自然言語処理動作を実行して、少なくとも１つのキーワードを決定することと、前記少なくとも１つのキーワードから前記少なくとも１つのノーマライズされたニーズを決定することとを含む、請求項１２に記載のワークフローサーバ。
【請求項１４】
前記リクエストは、専用ユーザインターフェースにおける少なくとも１つの選択とともに受信され、前記プロセッサが実行する動作はさらに、前記少なくとも１つの選択から前記少なくとも１つのノーマライズされたニーズを決定することを含む、請求項１２に記載のワークフローサーバ。
【請求項１５】
前記リクエストは識別情報とともに受信され、前記プロセッサが実行する動作はさらに、前記少なくとも１つのノーマライズされたニーズを含むプロファイルを決定することを含み、前記プロファイルは専用プロファイルであり、前記識別情報は前記専用プロファイルを識別する専用ヘッダーであり、又は、前記プロファイルはユーザプロファイルであり、前記識別情報は前記紹介医の身元情報である、請求項１２に記載のワークフローサーバ。
【手続補正書】
【提出日】令和3年1月21日(2021.1.21)
【手続補正１】
【補正対象書類名】明細書
【補正対象項目名】００１３
【補正方法】変更
【補正の内容】
【００１３】
電気分解電池のための一般的な設計は、ガス不透過性膜セパレータと水および／または電解質で満たされた電極との組み合わせである。米国特許第４，９０９，９１２号はそのような設計を開示する。この設計は、高電流密度を発生させるのに十分な速度でガスを浸水電極内の触媒に供給することができないため、燃料電池の作動には実用的ではない。燃料電池設計として有用ではないことを超えて、電気分解のためのこの電池設計に関する制限は、生成物を回収するために追加の水および生成物ガス分離工程が必要とされることである。さらに、アノード上での腐食、すなわち水の電気分解のための酸素発生電極上の腐食は、電解質と接触するあらゆる成分にとって深刻であり得る。この電池設計では、集電体および双極板が電解質と接触し、それらを潜在的に腐食性の電気化学反応にさらすことになる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第８，９４５，７７４号明細書
（特許文献２）  米国特許第８，６１７，７４６号明細書
（特許文献３）  米国特許出願公開第２００９／００８１５０１号明細書
（特許文献４）  米国特許出願公開第２００３／０１６２０７４号明細書
（特許文献５）  米国特許出願公開第２００１／００３１３８９号明細書
（特許文献６）  米国特許第４，７３２，６６０号明細書
（特許文献７）  米国特許出願公開第２００３／００６８５４４号明細書
（非特許文献）
（非特許文献１）  ＴＡＫＡＭＵＲＡ，Ｔ．；  ＯＨＡＲＡ，Ｓ．；  ＵＥＨＡＲＡ，Ｍ．；  ＳＵＺＵＫＩ，Ｊ．；  ＳＥＫＩＮＥ，Ｋ．，Ｊ．Ｐｏｗｅｒ  Ｓｏｕｒｃｅｓ  ２００４  ，１２９，９６．
（非特許文献２）  ＣＨＡＮ，Ｃ．Ｋ．，ｅｔ  ａｌ．，Ｈｉｇｈ−ｐｅｒｆｏｒｍａｎｃｅ  ｌｉｔｈｉｕｍ  ｂａｔｔｅｒｙ  ａｎｏｄｅｓ  ｕｓｉｎｇ  ｓｉｌｉｃｏｎ  ｎａｎｏｗｉｒｅｓ，Ｎａｔｕｒｅ  Ｎａｎｏｔｅｃｈｎｏｌｏｇｙ，２００８，３，３１
（非特許文献３）  ＢＡＴＥＳ，Ｊ．Ｂ．，ｅｔ  ａｌ．，Ｔｈｉｎ  ｆｉｌｍ  ｌｉｔｈｉｕｍ  ａｎｄ  ｌｉｔｈｉｕｍ  ｉｏｎ  ｂａｔｔｅｒｉｅｓ，Ｓｏｌｉｄ  Ｓｔａｔｅ  Ｉｏｎｉｃｓ，２０００，１３５，３３
（非特許文献４）  ＷＵ，Ｈ．，ｅｔ  ａｌ，Ｄｅｓｉｇｎｉｎｇ  ｎａｎｏｓｔｒｕｃｔｕｒｅｄ  Ｓｉ  ａｎｏｄｅｓ  ｆｏｒ  ｈｉｇｈ  ｅｎｅｒｇｙ  ｌｉｔｈｉｕｍ  ｉｏｎ  ｂａｔｔｅｒｉｅｓ  Ｎａｎｏ  Ｔｏｄａｙ，２０１２，７，４１４
（非特許文献５）  ＧＥ，Ｍ．，ｅｔ  ａｌ．，Ｐｏｒｏｕｓ  Ｄｏｐｅｄ  Ｓｉｌｉｃｏｎ  Ｎａｎｏｗｉｒｅｓ  ｆｏｒ  Ｌｉｔｈｉｕｍ  Ｉｏｎ  Ｂａｔｔｅｒｙ  Ａｎｏｄｅ  ｗｉｔｈ  Ｌｏｎｇ  Ｃｙｃｌｅ  Ｌｉｆｅ  Ｎａｎｏ  Ｌｅｔｔ．，２０１２，１２，２３１８
（非特許文献６）  ＹＯＯ，Ｊ．Ｋ．，ｅｔ  ａｌ．，Ｓｃａｌａｂｌｅ  ｆａｂｒｉｃａｔｉｏｎ  ｏｆ  ｓｉｌｉｃｏｎ  ｎａｎｏｔｕｂｅｓ  ａｎｄ  ｔｈｅｉｒ  ａｐｐｌｉｃａｔｉｏｎ  ｔｏ  ｅｎｅｒｇｙ  ｓｔｏｒａｇｅ  Ａｄｖ．Ｍａｔｅｒ．，２０１２，２４，５４５２
（非特許文献７）  ＰＡＲＫ，Ｍ．Ｈ．，ｅｔ  ａｌ．，Ｓｉｌｉｃｏｎ  Ｎａｎｏｔｕｂｅ  Ｂａｔｔｅｒｙ  Ａｎｏｄｅｓ，Ｎａｎｏ  Ｌｅｔｔ．，２００９，９，３８４４
（非特許文献８）  ＫＩＭ，Ｈ．，ｅｔ  ａｌ．，Ｔｈｒｅｅ−ｄｉｍｅｎｓｉｏｎａｌ  ｐｏｒｏｕｓ  ｓｉｌｉｃｏｎ  ｐａｒｔｉｃｌｅｓ  ｆｏｒ  ｕｓｅ  ｉｎ  ｈｉｇｈ−ｐｅｒｆｏｒｍａｎｃｅ  ｌｉｔｈｉｕｍ  ｓｅｃｏｎｄａｒｙ  ｂａｔｔｅｒｉｅｓ．，  Ａｎｇｅｗ．Ｃｈｅｍ．Ｉｎｔ．Ｅｄ．，２００８，４７，１０１５１
（非特許文献９）  ＺＨＯＵ，Ｘ．，ｅｔ  ａｌ．，Ｓｅｌｆ‐Ａｓｓｅｍｂｌｅｄ  Ｎａｎｏｃｏｍｐｏｓｉｔｅ  ｏｆ  Ｓｉｌｉｃｏｎ  Ｎａｎｏｐａｒｔｉｃｌｅｓ  Ｅｎｃａｐｓｕｌａｔｅｄ  ｉｎ  Ｇｒａｐｈｅｎｅ  ｔｈｒｏｕｇｈ  Ｅｌｅｃｔｒｏｓｔａｔｉｃ  Ａｔｔｒａｃｔｉｏｎ  ｆｏｒ  Ｌｉｔｈｉｕｍ‐Ｉｏｎ  Ｂａｔｔｅｒｉｅｓ，Ａｄｖ．Ｅｎｅｒｇｙ  Ｍａｔｅｒ．，２０１２，２，１０８６
（非特許文献１０）  ＬＩＵ，Ｎ．，ｅｔ  ａｌ．，Ａ  Ｙｏｌｋ−Ｓｈｅｌｌ  Ｄｅｓｉｇｎ  ｆｏｒ  Ｓｔａｂｉｌｉｚｅｄ  ａｎｄ  Ｓｃａｌａｂｌｅ  Ｌｉ−Ｉｏｎ  Ｂａｔｔｅｒｙ  Ａｌｌｏｙ  Ａｎｏｄｅｓ，Ｎａｎｏ  Ｌｅｔｔ．，２０１２，１２，３３１５．
（非特許文献１１）  ＺＨＡＯ，Ｊ．，ｅｔ  ａｌ，Ａｒｔｉｆｉｃｉａｌ  ｓｏｌｉｄ  ｅｌｅｃｔｒｏｌｙｔｅ  ｉｎｔｅｒｐｈａｓｅ−ｐｒｏｔｅｃｔｅｄ，ＬｉｘＳｉ  Ｎａｎｏｐａｒｔｉｃｌｅｓ：  Ａｎ  ｅｆｆｉｃｉｅｎｔ  ａｎｄ  ｓｔａｂｌｅ  ｐｒｅｌｉｔｈｉａｔｉｏｎ  ａｇｅｎｔ  ｆｏｒ  ｌｉｔｈｉｕｍ  ｉｏｎ  ｂａｔｔｅｒｉｅｓ，２０１５，ＪＡＣＳ，ＤＯＩ：１０．１０２１／ｊａｃｓ．５ｂ０４５２６
（非特許文献１２）  ＣＨＡＮＤＲＡＳＩＲＩ，Ｋ．Ｗ．，ｅｔ  ａｌ．，Ｃｉｔｒｉｃ  ａｃｉｄ  ｂａｓｅｄ  Ｐｒｅ−ＳＥＩ  ｆｏｒ  ｉｍｐｒｏｖｅｍｅｎｔ  ｏｆ  ｓｉｌｉｃｏｎ  ｅｌｅｃｔｒｏｄｅｓ  ｉｎ  ｌｉｔｈｉｕｍ  ｉｏｎ  ｂａｔｔｅｒｉｅｓ，Ｊ．  Ｅｌｅｃｔｒｏｃｈｅｍ  Ｓｏｃ．，  ２０１８，  １６５  （１０）  Ａ１９９１−Ａ１９９６
（非特許文献１３）  ＺＨＵ，Ｃ．，ｅｔ  ａｌ，Ａｃｈｉｅｖｉｎｇ  Ｈｉｇｈ−Ｐｅｒｆｏｒｍａｎｃｅ  ｓｉｌｉｃｏｎ  ａｎｏｄｅｓ  ｏｆ  ｌｉｔｈｉｕｍ  ｉｏｎ  ｂａｔｔｅｒｉｅｓ  ｖｉａ  ａｔｏｍｉｃ  ａｎｄ  ｍｏｌｅｃｕｌａｒ  ｌａｙｅｒ  ｄｅｐｏｓｉｔｅｄ  ｓｕｒｆａｃｅ  ｃｏａｔｉｎｇｓ：  ａｎ  ｏｖｅｒｖｉｅｗ，Ｅｌｅｃｔｒｏｃｈｉｍｃａ  Ａｃｔａ，２０１７，２５１，７１０−７２８
（非特許文献１４）  ＬＩＵ，Ｎ．，ｅｔ  ａｌ．，Ａ  ｐｏｍｅｇｒａｎａｔｅ−ｉｎｓｐｉｒｅｄ  ｎａｎｏｓｃａｌｅ  ｄｅｓｉｇｎ  ｆｏｒ  ｌａｒｇｅ−ｖｏｌｕｍｅ−ｃｈａｎｇｅ−ｌｉｔｈｉｕｍ  ｂａｔｔｅｒｙ  ａｎｏｄｅｓ，Ｎａｔｕｒｅ  Ｎａｎｏｔｅｃｈｎｏｌｏｇｙ，２０１４，９，１８７−１９２．